(57)【特許請求の範囲】
【請求項１】
筐体の前面上部にパッチ接続用の配線コネクタが配置されたフロントアクセス型の電子機器筐体の筐体パネルにおいて、
前面上部に箱状の庇となり前記配線コネクタを前記筐体の内側に収容する前面パネル上部と、風穴が前面に広く設けられた前面パネル下部とが、一体構成の前面パネルとなり前記電気機器筐体の前面に装着されることを特徴とする筐体パネル。
【請求項２】
前記パネル上部は、前記庇の天板部分に溝が設けられていることを特徴とする請求項１記載の筐体パネル。
【請求項３】
前記パネル上部は、前記庇の天板部分の中央をピークにして左右へスロープが設けられるとともに、また前記天板部分の前端から後端へスロープを設けられていることを特徴とする請求項１記載の筐体パネル。
【請求項４】
前記パネル上部は、前記庇の前面に更に風穴が設けられていることを特徴とする請求項１記載の筐体パネル。
【請求項５】
前記風穴は、前記庇の上端に横長のスリット状であることを特徴とする請求項４記載の筐体パネル。
【発明の詳細な説明】
【技術分野】
【０００１】
本発明の実施形態は、電子機器の筐体パネルに関する。
【背景技術】
【０００２】
近年、移動通信の普及、デジタル放送などの普及に伴い、電話及びデータ等の通信情報や放送送信信号などをセンター装置から末端のリモート設備の間で情報を中継する中継伝送システムが多数設置されている。これらの中継伝送システムの電子機器は空調が無い無人局舎（小屋）などの収容設備に配置される場合が多く、故障修理や点検等、現場での調整、確認が容易になるようフロントアクセス構造になっている。
【０００３】
図７は、従来の中継伝送システムの電子機器の筐体パネルの一例の外観図である。
【０００４】
筐体は、温度により機器性能が影響されないよう、前面パネルｐ１に風穴ｃ１を開けて吸気し、熱的対策を施している。風穴ｃ１から室内に浮遊するほこり、塵Ｚ等が落下する際に吸い込み易く、装置内部に埃や塵等が侵入し易い。
【０００５】
このような中継用電子機器は、局舎も空調されない無人環境で連続運用されるため、冷却もファン等を用いずに自然空冷されることが多く冷却性を良くするため風穴も開口部分や面積が大きくなる一方、局舎内に浮遊する塵埃対策が重要となる。
【０００６】
また、筐体は、電子機器の筐体内部の保守点検・調整を行う際、パッチ接続をするため、筐体の下部のユニットと上部のユニットを繋ぐための装置正面に突出している配線コネクタＣｎ（＃１〜＃ｎ）を取外してから、前面パネルを開け、その後再接続（装着）する構造となっている。そして、点検・調整後、再度、配線コネクタＣｎを取外し、前面パネルｐ１を閉め、再度、配線コネクタＣｎをまた装着するという面倒な作業（筺体構造）となっていた。これらの作業時に電子機器の天板などに置かれた小部品等が脱落した時に風穴から入り込み易い問題があった。
【発明の概要】
【発明が解決しようとする課題】
【０００７】
従来の無人局舎等に設置される電子機器では筐体パネルの冷却用の風穴から塵埃等が侵入し易く、また修理点検時の前面パネルの脱着操作性が悪い問題があった。
【０００８】
本発明が解決しようとする課題は、塵埃等の侵入を防ぎ、かつ脱着操作性の良い電子機器の筐体パネルを提供することである。
【課題を解決するための手段】
【０００９】
上記目的を達成するために、本実施形態の筐体パネルは、筐体の前面上部にパッチ接続用の配線コネクタが配置されたフロントアクセス型の電子機器筐体の筐体パネルにおいて、前面上部に箱状の庇となり前記配線コネクタを前記筐体の内側に収容する前面パネル上部と、風穴が前面に広く設けられた前面パネル下部とが、一体構成の前面パネルとなり前記電気機器筐体の前面に装着されることを特徴とする。
【図面の簡単な説明】
【００１０】
【図１】本実施形態に係わる筐体パネルの構造を説明する外観図。
【図２】風穴に侵入する塵埃量Ｒと庇の長さの関係を示す図。
【図３】筐体パネルの第２の実施形態の例を示す外観図。
【図４】筐体パネルの第３の実施形態の例を示す外観図
【図５】筐体パネルの第４の実施形態の例を示す外観図
【図６】筐体パネルの第５の実施形態の例を示す外観図
【図７】従来の中継伝送システムの電子機器の筐体パネルの一例の外観図。
【発明を実施するための形態】
【００１１】
以下、実施形態の電子機器の筐体パネルを図面を参照して説明する。
【００１２】
図１は、本実施形態に係わる電子機器の筐体パネルの構造を説明する外観図である。
【００１３】
図１の構成のうち、図７と共通な部分については説明を省略する。本実施形態の筐体パネルＰは、従来の様な１枚の平板構造ではなく、下部の平面の前面パネルＦＰと、その上部に筐体の庇になる凸型の前面パネル上部ＦＰｕとを備える一体構造で、電子機器の前面に装着される。筐体パネルの上端に位置する箱状の前面パネル上部ＦＰｕは、パッチ接続の配線コネクタＣｎ（＃１〜＃ｎ）を収容するとともに上方からの塵埃が筐体内部に侵入するのを防ぐため、風穴Ｃ１より離れて落下するように庇としても機能する。
【００１４】
なお、この一体型パネルは、図１のＢの様な筐体本体へ前面パネルＦＰ、または前面パネル上部ＦＰｕに取り付けられたスクリューＢ（ネジ止め）機構や、そのほか図示しないがパチン錠等の適当な取り付け固定手段で固定される。
【００１５】
図２は、風穴に侵入する塵埃量Ｒと庇の長さの関係を示す図である。  
図２において、庇の長さｈと前面パネルの庇までの高さＨで規格化して示している。塵埃量Ｒは、庇の長さとともに、塵埃の種類によって異なる。繊維ホコリは図２のカーブの上方に位置し空中を長く浮遊するので庇を長くしても侵入効果はさほど大きくない。
【００１６】
しかし、無人局舎内では、繊維ホコリよりも図２のカーブの下方に位置する土ホコリ、砂ホコリが主になる。これらの砂ホコリ等は、局舎の隙間から風により吹き込まれ、ホコリの粒子サイズ、密度も高いので浮遊時間が短く、下方へ速く落下するので庇によって筐体内への侵入を防ぐ効果が大きい。
【００１７】
装置内部下部のユニットと上部のユニットを繋ぐための装置正面に突出している配線コネクタＣｎ（＃１〜＃ｎ）は、接続先選択や、経路途中の信号状態を調べるための伝送路中継接続手段であり、Ｕリンクと呼ばれるものや、セミリジッドケーブルとプラグコネクタの組合せ等が使用されており、庇、かつカバーとなる前面パネル上部ＦＰｕに収容される。図７の従来の筐体パネルｆｐを用いる場合だとケーブル部分が外部に露出しており、埃が配線コネクタＣｎに積もるので点検の際清掃が必要になっていたが、本実施形態では、前面パネル上部ＦＰｕで保護され内部に埃は入らないので清浄に保つことが可能である。
【００１８】
また、前面パネル上部ＦＰｕは、上方から落下してくる埃を風穴Ｃ１から遠ざけることにより埃の侵入を防ぐとともに、小部品や、クリップなど異物が風穴から筐体内に入るのを防ぐことが出来る。
【００１９】
図３は、筐体パネルの第２の実施形態の例を示す外観図である。  
図３において、前面パネル上部ＦＰｕの天板部分に溝の溜まりＤを設け前面パネルＦＰの天板に付着した塵埃や、置かれた異物等をトラップして前面へ落ちるのを防ぎ風穴Ｃ１へ塵埃、異物が入り込むことを軽減している。
【００２０】
図４は、筐体パネルの第３の実施形態の例を示す外観図である。  
図４において、前面パネル上部ＦＰｕの天板部分の中央をピークにして左右へスロープを設け、また前面パネル上部ＦＰｕの天板部分の前端から後端へもスロープを設けている。このことにより天板部分へ落下した塵埃や異物は前面パネルＦＰの左右、後方へ滑り落ちるので風穴Ｃ１へ塵埃が入り込むことを軽減している。
【００２１】
図５は、筐体パネルの第４の実施形態の例を示す外観図である。  
図５において、前面パネル上部ＦＰｕの前面に縦長のスリット状の風穴Ｃ３を設けることにより通風量を増して第４の実施例よりも通風、冷却効果を高めている。
【００２２】
この形状では、筐体上部に対流効果により筐体内部で暖められ上昇した空気が風穴Ｃ２から外部に流出する。この空気流出は、塵埃が風穴Ｃ２から入り込むのを防ぎ、配線コネクタＣｎに塵埃が積もることを防ぐ効果もある。また、筐体内部からの発熱、空気流出が少なく風穴Ｃ２から塵埃、異物が侵入場合があっても前面パネル上部ＦＰｕの前方への延伸部Ｅの範囲にトラップされるので筐体内部への侵入を防ぐことが出来る。
【００２３】
図６は、筐体パネルの第５の実施形態の例を示す外観図である。  
図６において、前面パネル上部ＦＰｕの前面上端付近に横長のスリット状の風穴Ｃ２を設けることにより通風、冷却効果を高めている。また、この横長スリットの風穴を設けた場合、筐体内から外への流出速度は図５に示す場合よりも速く、通風口Ｃ２からの塵埃混入を防止する効果が大きい。
【００２４】
なお、第１、第２、第４、第５の実施形態では、前面パネル上部ＦＰｕの天板部に例えば、接着テープの粘着面、またはフェルト布のような異物トラップ（図示せず）を設けて前面パネルへの異物落下を防ぐと更に効果が高まる。
【００２５】
また第１〜第５の実施形態では前面パネル上部ＦＰｕの天板部に例えば、フッ素樹脂加工による潤滑効果のある表面加工を施しても良い。この場合、筐体パネルに塵埃が付着せず、清拭処理も軽減できる。
【００２６】
以上述べた少なくともひとつの実施形態の筐体パネルによれば、庇として機能する箱状の前面パネル部を持つことにより、塵埃等の侵入を防ぎ、かつ脱着操作性の良い電子機器の筐体パネルを提供することが可能となる。
【００２７】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００２８】
ＦＰ  前面パネル
ＦＰｕ  前面パネル上部
Ｐ  筐体パネル
Ｄ  溜まり
Ｅ  延伸部
Ｃ１、Ｃ２  風穴
Ｃｎ（＃１〜＃ｎ）  配線コネクタ
【図１】
0005670809.tif 000002
【図２】
0005670809.tif 000003
【図３】
0005670809.tif 000004
【図４】
0005670809.tif 000005
【図５】
0005670809.tif 000006
【図６】
0005670809.tif 000007
【図７】
0005670809.tif 000008